【手続補正書】
【提出日】令和1年10月28日(2019.10.28)
【手続補正１】
【補正対象書類名】明細書
【補正対象項目名】００８２
【補正方法】変更
【補正の内容】
【００８２】
本開示の側面が、上述の実施態様との関連において特には示されかつ記述されている一方で、当業者は、開示されているものの精神及び範囲から逸脱することなく、開示の機械、システム及び方法の変更によって、多様な追加的な実施態様を考えることができるということを、理解するであろう。そのような実施態様は、請求項及びそれと等価な任意のものに基づいて決定される通りの本開示の範囲内に包含されるということが、理解されるべきである。
本開示は、以下の態様を含む：
〈態様１〉
以下を含んでいる、耐震壁構造体：
第一ランナー；
第二ランナー；及び
前記第一ランナー又は前記第二ランナー内に提供されている、少なくとも１個の耐震挿入体；
ここで、前記耐震挿入体が、少なくとも１個の細長い溝を有しており、前記細長い溝を通過している少なくとも１個の第一固定部材を介して、前記第一ランナー又は前記第二ランナーと連絡して保持されており、かつ
ここで、前記耐震挿入体が、前記耐震挿入体の両側又はいずれかの側において、少なくとも１個の第二固定部材を介して、建築板材に接続されている。
〈態様２〉
前記第一ランナーが、床に提供されており、かつ、前記第二ランナーが、天井に提供されている、態様１に記載の耐震壁構造体。
〈態様３〉
前記第一及び前記第二ランナーが、金属、木又はプラスチックのうちの１つからできているチャンネルを含んでいる、態様１又は２に記載の耐震壁構造体。
〈態様４〉
前記細長い溝の長軸が、前記第一ランナー又は前記第二ランナーの長さ方向長に実質的に平行に配置されている、態様１〜３のいずれか一項に記載の耐震壁構造体。
〈態様５〉
前記耐震挿入体が、対応する前記ランナーの形状に従った形状を有しており、かつ、実質的に、前記第一ランナー又は前記第二ランナー内に位置している、態様１〜４のいずれか一項に記載の耐震壁構造体。
〈態様６〉
前記耐震挿入体が、前記第一ランナー及び前記第二ランナーを超えて上に延在している、態様１〜５のいずれか一項に記載の耐震壁構造体。
〈態様７〉
前記細長い溝が、前記第一固定部材の直径よりも大きい幅を有している、態様１〜６のいずれか一項に記載の耐震壁構造体。
〈態様８〉
前記細長い溝が、前記ランナーの長さに垂直な少なくとも１個の抵抗部材を有している、態様１〜７のいずれか一項に記載の耐震壁構造体。
〈態様９〉
前記建築板材に接続されている少なくとも１個の支柱をさらに有している、態様１〜８のいずれか一項に記載の耐震壁構造体。
〈態様１０〉
前記支柱の末端が、実質的に、前記第一ランナー又は前記第二ランナーの中に配置されている、態様９に記載の耐震壁構造体。
〈態様１１〉
少なくとも１個の前記支柱が、壁スタッドを含んでいる、態様９又は１０に記載の耐震壁構造体。
〈態様１２〉
隣接表面に前記第一ランナー又は前記第二ランナーを接続している少なくとも１個の第三固定部材をさらに有している、態様１〜１１のいずれか一項に記載の耐震壁構造体。
〈態様１３〉
前記建築板材が、石こう又はセメント若しくは繊維セメントを含んでいる、態様１〜１２のいずれか一項に記載の耐震壁構造体。
〈態様１４〉
前記建築板材が、補強されている、態様１〜１３のいずれか一項に記載の耐震壁構造体。
〈態様１５〉
前記建築板材が、ポリマー性バインダ及び複数の繊維を有している、態様１〜１４のいずれか一項に記載の耐震壁構造体。
〈態様１６〉
前記ポリマー性バインダ及び前記複数の繊維が、合計で、前記建築板材の１重量％よりも多い、態様１５に記載の耐震壁構造体。
〈態様１７〉
前記ポリマー性バインダが、前記建築板材の１重量％よりも多い、態様１５又は１６に記載の耐震壁構造体。
〈態様１８〉
前記複数の繊維が、前記建築板材の１重量％よりも多い、態様１５〜１７のいずれか一項に記載の耐震壁構造体。
〈態様１９〉
前記ポリマー性バインダが、スターチ又はポリビニルアセテートを含んでいる、態様１５〜１８のいずれか一項に記載の耐震壁構造体。
〈態様２０〉
前記建築板材の端部が、前記第一ランナー又は前記第二ランナーの実質的に外側に位置している、態様１〜１９のいずれか一項に記載の耐震壁構造体。
〈態様２１〉
前記第一ランナー及び前記第二ランナーを、水平の平面内において、間隔を空けて配置しうる、態様１〜２０のいずれか一項に記載の耐震壁構造体。
〈態様２２〉
以下を含んでいる耐震挿入体：
第一脚部；
第二脚部；及び
基部、
ここで、前記第一及び第二脚部が、前記基部から垂直に延在しており、
ここで、前記基部が、少なくとも１個の第一固定部材を受け入れるための少なくとも１個の細長い溝をさらに含んでいる。
〈態様２３〉
前記第一脚部及び前記第二脚部が、少なくとも１個の第二固定部材を使用して、両側又はいずれかの側において建築板材に接続されているように、構成されている、態様２２に記載の耐震挿入体。
〈態様２４〉
壁構造体のランナー内に配置されているように、構成されている、態様２２に記載の耐震挿入体。
〈態様２５〉
前記第一脚部及び前記第二脚部が、前記ランナーの高さよりも大きい高さを有している、態様２２に記載の耐震挿入体。
〈態様２６〉
前記細長い溝の長軸が、前記ランナーの長さ方向長に実質的に平行に位置している、態様２２に記載の耐震挿入体。
〈態様２７〉
前記細長い溝が、前記第一固定部材の直径よりも大きい幅を有している、態様２２に記載の耐震挿入体。
〈態様２８〉
前記細長い溝が、２０ｍｍと１００ｍｍの間の長さを有している、態様２２に記載の耐震挿入体。
〈態様２９〉
前記細長い溝が、前記第一ランナー又は前記第二ランナーの長さに垂直な少なくとも一個の抵抗部材をさらに有している、態様２２に記載の耐震挿入体。
〈態様３０〉
前記抵抗部材が、その長さに沿って、少なくとも１個のへこみを有している、態様２９に記載の耐震挿入体。
〈態様３１〉
前記へこみが、前記細長い溝の中央又は１つの末端の方に位置しうる、態様３０に記載の耐震挿入体。
〈態様３２〉
テクスチャ加工された表面を有している、態様２２に記載の耐震挿入体。
〈態様３３〉
断面において実質的にＵ形状の部材である、態様２２に記載の耐震挿入体。
〈態様３４〉
金属を含んでいる、態様２２に記載の耐震挿入体。
〈態様３５〉
以下を含んでいる、耐震壁を組み立てるための方法：
第一ランナー及び第二ランナーを提供すること；
少なくとも１個の第三固定部材を使用して、隣接表面に前記第一ランナー及び前記第二ランナーを固定すること；
１以上のスタッドを、前記スタッドの一方の末端を前記第一ランナーに配置し、かつ、前記スタッドの他方の末端を前記第二ランナーに配置することによって、前記ランナーに滑り込ませること；
態様２２に記載の耐震挿入体を、前記スタッドの間で、前記第一ランナー及び／又は前記第二ランナーに配置すること；
態様２２に記載の耐震挿入体を、前記第一固定部材を通じて、前記第一ランナー及び前記第二ランナーに固定すること；並びに
少なくとも１個の第二固定部材を介して、態様２２に記載の耐震挿入体の両側若しくはいずれかの側に、建築板材を取り付けること。
〈態様３６〉
前記建築板材が、前記第一及び前記第二ランナーに対して固定された位置で保持されていない、態様３５に記載の方法。
〈態様３７〉
前記建築板材が、地震時に、前記耐震挿入体の動きに付随して、前記第一及び前記第二ランナーの長さに沿って長さ方向に動く、態様３５に記載の方法。
【手続補正２】
【補正対象書類名】特許請求の範囲
【補正対象項目名】全文
【補正方法】変更
【補正の内容】
【特許請求の範囲】
【請求項１】
以下を含んでいる、耐震壁構造体：
第一ランナー；
第二ランナー；及び
前記第一ランナー又は前記第二ランナー内に提供されている、少なくとも１個の耐震挿入体；
ここで、前記耐震挿入体が、少なくとも１個の細長い溝を有しており、前記細長い溝を通過している少なくとも１個の第一固定部材を介して、前記第一ランナー又は前記第二ランナーと連絡して保持されており、かつ
ここで、前記耐震挿入体が、前記耐震挿入体の両側又はいずれかの側において、少なくとも１個の第二固定部材を介して、建築板材に接続されており、かつ
ここで、前記建築板材が、地震時に、前記耐震挿入体の動きとともに、第一ランナー及び第二ランナーの長さに沿って、長さ方向に動く。
【請求項２】
前記第一ランナーが、床に提供されており、かつ、前記第二ランナーが、天井に提供されている、請求項１に記載の耐震壁構造体。
【請求項３】
前記第一及び前記第二ランナーが、金属、木又はプラスチックのうちの１つからできているチャンネルを含んでいる、請求項１又は２に記載の耐震壁構造体。
【請求項４】
前記細長い溝の長軸が、前記第一ランナー又は前記第二ランナーの長さ方向長に実質的に平行に配置されている、請求項１〜３のいずれか一項に記載の耐震壁構造体。
【請求項５】
前記耐震挿入体が、対応する前記ランナーの形状に従った形状を有しており、かつ、実質的に、前記第一ランナー又は前記第二ランナー内に位置している、請求項１〜４のいずれか一項に記載の耐震壁構造体。
【請求項６】
前記耐震挿入体が、前記第一ランナー又は前記第二ランナーの側壁を超えて延在している、請求項１〜５のいずれか一項に記載の耐震壁構造体。
【請求項７】
前記細長い溝が、前記第一固定部材の直径よりも大きい幅を有している、請求項１〜６のいずれか一項に記載の耐震壁構造体。
【請求項８】
前記細長い溝が、溝内において、前記第一ランナー又は第二ランナーの長さに垂直な少なくとも１個の抵抗部材を有している、請求項１〜７のいずれか一項に記載の耐震壁構造体。
【請求項９】
前記建築板材に接続されている少なくとも１個の支柱をさらに有している、請求項１〜８のいずれか一項に記載の耐震壁構造体。
【請求項１０】
前記支柱の末端が、少なくとも１つの耐震挿入体に実質的に隣接して、実質的に、前記第一ランナー又は前記第二ランナーの中に配置されている、請求項９に記載の耐震壁構造体。
【請求項１１】
少なくとも１個の前記支柱が、壁スタッドを含んでいる、請求項９又は１０に記載の耐震壁構造体。
【請求項１２】
隣接表面に前記第一ランナー又は前記第二ランナーを接続している少なくとも１個の第三固定部材をさらに有している、請求項１〜１１のいずれか一項に記載の耐震壁構造体。
【請求項１３】
前記建築板材が、石こう又はセメント若しくは繊維セメントを含んでいる、請求項１〜１２のいずれか一項に記載の耐震壁構造体。
【請求項１４】
前記建築板材が、補強されている、請求項１〜１３のいずれか一項に記載の耐震壁構造体。
【請求項１５】
前記建築板材が、ポリマー性バインダ及び複数の繊維を有している、請求項１〜１４のいずれか一項に記載の耐震壁構造体。
【請求項１６】
前記ポリマー性バインダ及び前記複数の繊維が、合計で、前記建築板材の１重量％よりも多い、請求項１５に記載の耐震壁構造体。
【請求項１７】
前記ポリマー性バインダが、前記建築板材の１重量％よりも多い、請求項１５又は１６に記載の耐震壁構造体。
【請求項１８】
前記複数の繊維が、前記建築板材の１重量％よりも多い、請求項１５〜１７のいずれか一項に記載の耐震壁構造体。
【請求項１９】
前記ポリマー性バインダが、スターチ又はポリビニルアセテートを含んでいる、請求項１５〜１８のいずれか一項に記載の耐震壁構造体。
【請求項２０】
前記建築板材の端部が、前記第一ランナー又は前記第二ランナーの実質的に外側に位置している、請求項１〜１９のいずれか一項に記載の耐震壁構造体。
【請求項２１】
前記第一ランナー及び前記第二ランナーを、水平の平面内において、間隔を空けて配置しうる、請求項１〜２０のいずれか一項に記載の耐震壁構造体。
【請求項２２】
以下を含んでいる、特殊化されたランナーの設置を必要とすることなく地震条件時に建築板材の水平の動きを促進させる耐震壁構造体を組み立てるための、耐震挿入体：
第一脚部；
第二脚部；及び
基部、
ここで、前記第一及び第二脚部が、前記基部から垂直に延在しており、
ここで、前記基部が、少なくとも１個の第一固定部材を受け入れるための少なくとも１個の細長い溝をさらに含んでおり、かつ、ここで、前記耐震挿入体が、前記第一ランナー又は前記第二ランナーの中に実質的に配置されるように構成されており、かつ、前記細長い溝を通過する前記第一固定部材によって前記第一ランナー又は前記第二ランナーと連絡しつつ保持されるように、構成されている。
【請求項２３】
前記第一脚部及び前記第二脚部が、少なくとも１個の第二固定部材を使用して、両側又はいずれかの側において建築板材に接続されているように、構成されている、請求項２２に記載の耐震挿入体。
【請求項２４】
前記第一脚部及び前記第二脚部が、前記ランナーの高さよりも大きい高さを有している、請求項２２に記載の耐震挿入体。
【請求項２５】
前記細長い溝の長軸が、前記ランナーの長さ方向長に実質的に平行に位置している、請求項２２に記載の耐震挿入体。
【請求項２６】
前記細長い溝が、前記第一固定部材の直径よりも大きい幅を有している、請求項２２に記載の耐震挿入体。
【請求項２７】
前記細長い溝が、２０ｍｍと１００ｍｍの間の長さを有している、請求項２２に記載の耐震挿入体。
【請求項２８】
前記細長い溝が、前記第一ランナー又は前記第二ランナーの長さに垂直な少なくとも一個の抵抗部材をさらに有している、請求項２２に記載の耐震挿入体。
【請求項２９】
前記抵抗部材が、その長さに沿って、少なくとも１個のへこみを有している、請求項２８に記載の耐震挿入体。
【請求項３０】
前記へこみが、前記細長い溝の中央又は１つの末端の方に位置しうる、請求項２９に記載の耐震挿入体。
【請求項３１】
テクスチャ加工された表面を有している、請求項２２に記載の耐震挿入体。
【請求項３２】
断面において実質的にＵ形状の部材である、請求項２２に記載の耐震挿入体。
【請求項３３】
金属を含んでいる、請求項２２に記載の耐震挿入体。
【請求項３４】
以下を含んでいる、特殊化されたランナーの設置を必要とすることなく地震条件時に建築板材の水平の動きを促進させる耐震壁を組み立てるための方法：
第一ランナー及び第二ランナーを提供すること；
少なくとも１個の第三固定部材を使用して、隣接表面に前記第一ランナー及び前記第二ランナーを固定すること；
１以上のスタッドを、前記スタッドの一方の末端を前記第一ランナーに配置し、かつ、前記スタッドの他方の末端を前記第二ランナーに配置することによって、前記ランナーに滑り込ませること；
請求項２２に記載の耐震挿入体を、前記スタッドの間で、前記第一ランナー及び／又は前記第二ランナーに配置すること；
請求項２２に記載の耐震挿入体を、前記第一固定部材を通じて、前記第一ランナー及び前記第二ランナーに固定すること；並びに
少なくとも１個の第二固定部材を介して、請求項２２に記載の耐震挿入体の両側若しくはいずれかの側に、建築板材を取り付けること。
【請求項３５】
前記建築板材が、前記第一及び前記第二ランナーに対して固定された位置で保持されていない、請求項３４に記載の方法。
【請求項３６】
前記建築板材が、地震時に、前記耐震挿入体の動きに付随して、前記第一及び前記第二ランナーの長さに沿って長さ方向に動く、請求項３４に記載の方法。